(57)【特許請求の範囲】
【請求項１】
原稿を照射する照明装置を複数備えた第一ミラーユニットと前記第一ミラーユニットに対して１／２の速度で走行する第二ミラーユニットと前記第一ミラーユニットと前記照明装置に給電するためのフレキシブルフラットケーブルを備え、前記照明装置が読取光軸を挟んで副走査方向に対面配置された画像読取装置において、
前記照明装置は、主走査方向の一端にコネクタを持つ基板と前記基板上に主走査方向に複数配置された光源と前記光源からの光を読取対象物に導く導光体と前記基板と前記導光体とを前記第一ミラーユニット上に固定するブラケットと、から成り、
前記フレキシブルフラットケーブルは、前記照明装置に電源を供給するための電源供給基板から前記画像読取装置の主走査方向中心を通り、かつ、前記第一ミラーユニットの下側を副走査方向に沿って通り、前記第二ミラーユニットの下側部分を廻って上側部分を経由して前記光源からの光を遮らないよう前記第一ミラーユニットまでは分岐することなく１本の配線で構成され、
前記第一ミラーユニット上に位置する分岐部で複数の配線に分岐して各前記照明装置に接続され、分岐後に少なくとも一つの配線は分岐部から前記照明装置までの間に配線の方向が鉛直方向上方に９０度折り曲げられたことを特徴とする画像読取装置。
【請求項２】
前記配線のうち鉛直方向上方に９０度折り曲げる配線は副走査方向から見て前記分岐部に対して読取光軸の反対側にある前記照明装置に接続される配線とすることを特徴とする請求項１に記載の画像読取装置。
【請求項３】
請求項１または請求項２のいずれか１項に記載の画像読取装置を備えたことを特徴とする画像形成装置。
【発明の詳細な説明】
【技術分野】
【０００１】
本発明は、プリンタ等に用いられる画像読取装置およびその画像読取装置を搭載した画像形成装置に関する。
【背景技術】
【０００２】
画像読取装置において走行体に設置された照明装置への配線手段としてフレキシブルフラットケーブル（以下ＦＦＣともいう。）が使用されている。また画像読取装置で生産性が高く複写枚数の多い機種では高い照度を確保する必要があり、照明装置を複数配置した構成が既に知られている。
【０００３】
このような構成の例としては、例えば図８に示す主走査方向の一端にコネクタを持つＬＥＤ基板を有する２つの照明装置を、図９に示すように読取光軸を挟んで副走査方向に対向配置させる２灯照明構成がある。この構成においては図１０に示すように各ＬＥＤ基板のコネクタの位置はそれぞれ主走査方向で手前側と奥側の２ヶ所にレイアウトされることになる。
【０００４】
これらの照明装置への給電手段としてフレキシブルフラットケーブルが使用されている。電源供給元の基板からスキャナフレーム中央、第二ミラーユニットを経由し第一ミラーユニットまでは分岐することなく１本のＦＦＣで構成され、第一ミラーユニット上のケーブル分岐部で二股に分岐しそれぞれの照明装置に接続されるはい回し構成としている。
【０００５】
このとき、図１０に示す様にケーブル分岐部から副走査方向に読取光軸の反対側にある照明装置へのケーブル経路は、ケーブル分岐部からコネクタまで第一ミラーユニット側面を回り込むかたちとなる。そしてＦＦＣをはい回すスペースを確保するためにマシンサイズが大型化してしまうという問題があった。
【発明の概要】
【発明が解決しようとする課題】
【０００６】
画像読取装置における照明装置まわりのケーブルのはい回し構成については例えば特許文献１および特許文献２に記載されている。
【０００７】
特許文献１には差動ミラー方式のスキャナで電源供給元の基板から第一ミラーユニットまでのハーネス経路にフレキシブルフラットケーブルを使用し、はい回しを行う構成が開示されている。しかし、特許文献１に記載された照明装置は、読取光軸を挟んで副走査方向に対面配置された２灯照明構成ではなく、２灯照明構成におけるケーブルのはい回しに対する記載はない。
【０００８】
また、特許文献２には、照明装置のコネクタ付近で他部品との接触による漏れ電流や摩擦発生によるケーブルの破損防止の目的で、光学走査ユニット上の照明装置から２芯が上下に位置する垂直状態で導出された配線ケーブルが、規制ガイドによって９０度回転するようにひねられて２芯が左右に位置する水平状態で導出されているケーブル支持構成が開示されている。
【０００９】
しかし、特許文献２に記載の照明装置も２灯照明構成ではなく、２灯照明構成におけるケーブルのはい回しに関して記載はされていない。また、特許文献２にはケーブルを９０度回転させる構成が示されているが、ここで用いられているケーブルはフレキシブルフラットケーブルではなく通常の２芯のケーブルとなっている。
【００１０】
さらに９０度回転された配線に関しても規制部材内でハーネスを曲げた際の反発力を完結させて、他のはい回し部に応力の影響を与えないこと目的としたもので、ケーブルのはい回しに必要なスペース確保によりマシンの大型化の問題を解決できる構成とはなっていない。
【００１１】
本発明はこのような問題を解決するためになされたもので、照明装置が読取光軸を挟んで副走査方向に対面配置された構成の画像読取装置において、フレキシブルフラットケーブルのはい回しの構成により装置を小型化することができる画像読取装置および画像形成装置を提供することを目的とする。
【課題を解決するための手段】
【００１２】
本発明に係る画像読取装置は、上記目的を達成するため、原稿を照射する照明装置を複数備えた第一ミラーユニットと前記第一ミラーユニットに対して１／２の速度で走行する第二ミラーユニットと前記第一ミラーユニットと前記照明装置に給電するためのフレキシブルフラットケーブルを備え、前記照明装置が読取光軸を挟んで副走査方向に対面配置された画像読取装置において、前記照明装置は、主走査方向の一端にコネクタを持つ基板と前記基板上に主走査方向に複数配置された光源と前記光源からの光を読取対象物に導く導光体と前記基板と前記導光体とを前記第一ミラーユニット上に固定するブラケットと、から成り、前記フレキシブルフラットケーブルは、前記照明装置に電源を供給するための電源供給基板から前記画像読取装置の主走査方向中心を通り、かつ、前記第一ミラーユニットの下側を副走査方向に沿って通り、前記第二ミラーユニットの下側部分を廻って上側部分を経由して前記光源からの光を遮らないよう前記第一ミラーユニットまでは分岐することなく１本の配線で構成され、前記第一ミラーユニット上に位置する分岐部で複数の配線に分岐して各前記照明装置に接続され、分岐後に少なくとも一つの配線は分岐部から前記照明装置までの間に配線の方向が鉛直方向上方に９０度折り曲げられたことを特徴とする。
【発明の効果】
【００１３】
本発明によれば、照明装置が読取光軸を挟んで副走査方向に対面配置された構成の画像読取装置において、フレキシブルフラットケーブルのはい回しの構成により装置を小型化することができる。
【図面の簡単な説明】
【００１４】
【図１】本発明の実施形態に係る画像形成装置の概略構成を示す断面図である。
【図２】本発明の実施形態に係る画像読取装置の主走査方向からみた断面図である。
【図３】本発明の実施形態に係る画像読取装置に用いられる照明装置の斜視図である。
【図４】本発明の実施形態に係る画像読取装置に照明装置を搭載して主走査方向からみた断面図である。
【図５】本発明の実施形態に係る画像読取装置のフレキシブルフラットケーブルを折り曲げる前の状態を上面からみた断面図である。
【図６】本発明の実施形態に係る画像読取装置の斜視図である。
【図７】本発明の実施形態に係る画像読取装置のフレキシブルフラットケーブルを折り曲げた後の状態を上面からみた断面図である。
【図８】一般的な画像読取装置に用いられる照明装置の斜視図である。
【図９】一般的な画像読取装置に照明装置を搭載して主走査方向からみた断面図である。
【図１０】一般的な画像読取装置にフレキシブルフラットケーブルをはい回した状態を上面からみた断面図である。
【発明を実施するための形態】
【００１５】
以下、本発明の実施形態について、図面を参照して説明する。
【００１６】
図１に示すように、本実施の形態に係る画像形成装置１は、給紙部２、画像形成部３および画像読取装置４を有する装置本体１Ｍと、装置本体１Ｍ上に配置された自動原稿搬送部（ＡＤＦ）５とを備えたデジタル複合機である。
【００１７】
給紙部２は、それぞれカットシート状の転写紙Ｐを積層状態で収納可能な複数段の給紙カセット２１Ａ、２１Ｂ、２１Ｃを有している。各給紙カセット２１Ａ、２１Ｂ、２１Ｃには、例えば複数のシートサイズから予め選択されたシートサイズの転写紙Ｐ（例えば白紙）が、縦又は横の給紙方向に向けて収容されるようになっている。
【００１８】
給紙部２は、給紙カセット２１Ａ、２１Ｂ、２１Ｃに収納された転写紙Ｐをそれぞれの最上層側から順次ピックアップして分離給紙する給紙装置２２Ａ、２２Ｂ、２２Ｃを有している。給紙部２には、さらに、各種ローラ２３等が設けられており、これらによって、各給紙装置２２Ａ、２２Ｂ、２２Ｃから給紙された転写紙Ｐを画像形成部３の所定の画像形成位置まで搬送する給紙経路２４が形成されている。
【００１９】
画像形成部３は、露光装置３１と、感光体ドラム３２Ｋ、３２Ｙ、３２Ｍ、３２Ｃと、ブラック（Ｋ）、イエロー（Ｙ）、マゼンタ（Ｍ）およびシアン（Ｃ）のトナーが充填された現像装置３３Ｋ、３３Ｙ、３３Ｍ、３３Ｃとを備えている。また、画像形成部３は、一次転写部３４と、二次転写部３５と、定着部３６とを備えている。
【００２０】
露光装置３１は、例えば、画像読取装置４で読み取った画像に基づいて各色の露光用のレーザ光Ｌを生成するようになっている。また、露光装置３１は、レーザ光を各色の感光体ドラム３２Ｋ、３２Ｙ、３２Ｍ、３２Ｃを露光して、各感光体ドラム３２Ｋ、３２Ｙ、３２Ｍ、３２Ｃの表層部に読取画像に対応した各色の静電潜像を形成するようになっている。
【００２１】
現像装置３３Ｋ、３３Ｙ、３３Ｍ、３３Ｃは、それぞれ対応する感光体ドラム３２Ｋ、３２Ｙ、３２Ｍ、３２Ｃに薄層状のトナーを近接させるように供給して、静電潜像をトナーにより顕像化する現像を行うようになっている。
【００２２】
画像形成部３は、感光体ドラム３２Ｋ、３２Ｙ、３２Ｍ、３２Ｃ上に現像されたトナー像を一次転写部３４に一次転写し、一次転写部３４に近接する二次転写部３５でそのトナー像を転写紙Ｐに二次転写するようになっている。また、画像形成部３は、転写紙Ｐに二次転写したトナー像を定着部３６により加熱・加圧して溶融させ、転写紙Ｐにカラー画像を定着させて記録するようになっている。
【００２３】
画像形成部３は、給紙部２から給紙経路２４を経て搬入された転写紙Ｐを二次転写部３５側に搬送する搬送経路３９Ａを有している。この搬送経路３９Ａにおいては、まず、レジストローラ対３７において、転写紙Ｐの搬送タイミングおよび搬送速度が調整されるようになっている。そして、転写紙Ｐは、一次転写部３４および二次転写部３５でのベルト速度に同期した状態で二次転写部３５および定着部３６を通過した後、排紙トレイ３８上に排紙されるようになっている。
【００２４】
画像形成部３は、手差トレイ２５上に載置される転写紙（図示せず）をレジストローラ対３７よりも上流側で搬送経路３９Ａに給紙する手差給紙経路３９Ｂを併有している。
【００２５】
二次転写部３５および定着部３６の下方には、それぞれ複数の搬送ローラおよび搬送ガイド等からなるスイッチバック搬送路３９Ｃおよび反転搬送路３９Ｄが配設されている。
【００２６】
スイッチバック搬送路３９Ｃは、転写紙Ｐの両面に画像を形成する場合に、任意の一面に画像定着が済んだ転写紙Ｐを一端から進入させた後に、後退（進入時とは逆方向に移動）させるスイッチバック搬送を行うようになっている。
【００２７】
反転搬送路３９Ｄは、スイッチバック搬送路３９Ｃによりスイッチバック搬送された転写紙Ｐの表裏を反転させて、レジストローラ対３７に再度給紙するようになっている。
【００２８】
これらスイッチバック搬送路３９Ｃおよび反転搬送路３９Ｄにより、一面に対する画像定着処理を終えた転写紙Ｐは、その進行方向を逆向きに切り替えられた後に表裏反転されて、再び二次転写ニップに進入する。そして、転写紙Ｐは、他面にも画像の二次転写処理と定着処理とが施された後、排紙トレイ３８上に排紙されるようになっている。
【００２９】
次に図２を用いて画像読取装置４の詳細について説明する。
【００３０】
画像読取装置４には照明装置３００ａ、３００ｂおよび両端支持された第一ミラー２０２を含んで構成される第一ミラーユニット２０３、そして、両端支持された第二ミラー２０４、第三ミラー２０５を含んで構成される第二ミラーユニット２０６、および、原稿の反射光をＣＣＤ等の撮像素子２０８上に結像させる光学レンズ２０７が設けられている。
【００３１】
第一ミラーユニット２０３は、画像読取装置４内を副走査方向に一定の速度で走行するようになっている。第二ミラーユニット２０６は第一ミラーユニット２０３の１／２の速度で第一ミラーユニット２０３に追従して走行することで、原稿読取ガラス２０９上の原稿が光学的に走査される。
【００３２】
照明装置３００ａ、３００ｂは、第一ミラーユニット２０３上に読取光軸は挟んで対向するように設けられている。照明装置３００ａ、３００ｂは、原稿読取ガラス２０９上の原稿を照射し、その反射光像が第一ミラー２０２、第二ミラー２０４、第三ミラー２０５を介して光学レンズ２０７に導かれ、光学レンズ２０７により撮像素子２０８上に結像される。ここで図中の点線で示す反射光の経路を以下で読取光軸という。
【００３３】
撮像素子２０８は、結像された原稿の反射光像を光電変換してアナログ画像信号とし、原稿の読み取りがおこなわれる。この機構は、上記ミラー、撮像素子を一体としたユニット型のものや、等倍センサ（ＣＩＳ）でもよい。
【００３４】
また、シート原稿を連続で自動読み取りする場合、自動原稿搬送部５により原稿をシート原稿読取ガラス２１０上に搬送させ、シート原稿読取ガラス２１０上を通る反射光像が撮像素子２０８上に結像される。そのとき、第一ミラーユニット２０３、第二ミラーユニット２０６は固定され、搬送されるシート原稿の画像を読み取る。一方、ブック原稿を読み取る場合、自動原稿搬送部５を一度開放して、原稿読取ガラス２０９上にブック原稿をセット、その後、自動原稿搬送部５を閉じることで、自動原稿搬送部５に設けられた圧板部分で、ブック原稿を押さえることができる。また、これら読み取りの動作は画像読取装置４の操作部に設けられたスタートキーが押下されることにより開始される。
【００３５】
自動原稿搬送部５は、画像形成装置１の装置本体１Ｍの上部にヒンジ機構を介して開閉動作可能に連結されている。自動原稿搬送部５は、画像読取装置４における原稿読取ガラス２０９およびシート原稿読取ガラス２１０を露出させる開放位置と、原稿読取ガラス２０９およびシート原稿読取ガラス２１０を覆う閉止位置との間で回動操作されるようになっている。
【００３６】
自動原稿搬送部５は、シートスルー方式の自動原稿搬送装置として構成されている。自動原稿搬送部５は、原稿載置台である原稿テーブル５１と、各種ローラおよびガイド部材等からなる原稿搬送部５２と、画像読み取り後の原稿シートＳを集積する原稿排紙トレイ５３とを備えている。
【００３７】
図３は画像読取装置４に搭載されている照明装置３００を示している。照明装置３００はＬＥＤ基板３０２とＬＥＤチップ３０１と導光体３０６とブラケット３０３とを有して構成されている。
【００３８】
ＬＥＤ基板３０２には、光源であるＬＥＤチップ３０１が主走査方向に複数配列されており、ネジ３０５を用いてブラケット３０３により固定されている。またＬＥＤ基板３０２の主走査方向の一端には第一ミラーユニット２０３と照明装置３００に給電するためのフレキシブルフラットケーブル２１４を接続するコネクタ３０４が配置されている。また後述するように、光源からの光を読取対象方向に導き拡散させて照射する導光体３０６、カバー３０７も備えている。
【００３９】
図４に照明装置３００を搭載した本実施の形態に係る画像読取装置４を主走査方向から見た断面図を示す。照明装置３００ａ、３００ｂは、第一ミラーユニット２０３上で副走査方向に読取光軸を挟んで対向して配置されており、読取光軸の右側に配置されているのが照明装置３００ａ、左側に配置されているのが照明装置３００ｂである。本実施の形態では照明装置として２つの照明装置３００ａ、３００ｂを用いたが照明装置の個数はこれに限られない。
【００４０】
照明装置３００ａ、３００ｂは図３で示したＬＥＤチップ３０１、ＬＥＤ基板３０２、ブラケット３０３、コネクタ３０４、ネジ３０５の他に導光体３０６ａ、３０６ｂおよびカバー３０７ａ、３０７ｂをそれぞれ備えている。
【００４１】
導光体３０６ａ、３０６ｂは、ＬＥＤチップ３０１ａ、３０１ｂから照射される光をそれぞれ読取位置に導くようになっている。カバー３０７ａ、３０７ｂは、ブラケット３０３ａ、３０３ｂを介してＬＥＤ基板３０２ａ、３０２ｂに取り付けられており、外部からの光を遮光する部材として導光体３０６ａ、３０６ｂの外側に設けられている。ブラケット３０３ａ、３０３ｂはＬＥＤ基板３０２ａ、３０２ｂと導光体３０６ａ、３０６ｂとを第一ミラーユニット２０３上に固定するようになっている。
【００４２】
フレキシブルフラットケーブル２１４は、電源供給元の電源供給基板２１７と照明装置３００ａ、３００ｂとを接続し、照明装置３００ａ、３００ｂに給電するようになっている。フレキシブルフラットケーブル２１４は、電源供給基板２１７から副走査方向左側へ第一ミラーユニット２０の下方を通り、第二ミラーユニット２０６の下側部分から上側部分を経由して、副走査方向右側へと向かい照明装置３００ａ、３００ｂに接続される。
【００４３】
フレキシブルフラットケーブル２１４は、電源供給基板２１７から画像読取装置４内の主走査方向中央部分を通り第二ミラーユニット２０６を経由して第一ミラーユニット２０３までは分岐することなく１本の配線で構成されている。
【００４４】
フレキシブルフラットケーブル２１４は、複数の配線に分岐する分岐部２１４ｃを備えている。分岐部２１４ｃは第一ミラーユニット２０３上の副走査方向左側から見て読取光軸の手前側に位置している。フレキシブルフラットケーブル２１４は、分岐部２１４ｃで２本の配線に分岐して照明装置３００ａ、３００ｂに接続される。本実施の形態ではフレキシブルフラットケーブル２１４は、分岐部２１４ｃで２本の配線に分岐しているが、２本以上の配線に分岐するようにしてもよい。
【００４５】
図５を用いて画像読取装置４におけるケーブルのはい回しの問題点について説明する。図５は本実施の形態に係る画像読取装置４におけるフレキシブルフラットケーブル２１４のはい回しに際し、フレキシブルフラットケーブル２１４を鉛直方向に折り曲げる前の状態を上面から見た図である。
【００４６】
フレキシブルフラットケーブル２１４は、第一ミラーユニット２０３上の分岐部２１４ｃで１４ａ、１４ｂの二股に分かれて各照明装置３００ａ、３００ｂに配線されるようになっている。照明装置３００ａは副走査方向の左側から見て読取光軸の反対側（右側）に配置され、照明装置３００ｂは読取光軸の手前側（左側）に配置されている。
【００４７】
フレキシブルフラットケーブル２１４を照明装置３００ａのコネクタ３０４ａに接続する際、フレキシブルフラットケーブル２１４ａは照明装置３００ａを回り込むレイアウトとなる。ここで、フレキシブルフラットケーブル２１４ａは幅を持っているため、フレキシブルフラットケーブル２１４ａをはい回すためにはスキャナベース側面２１６との間にスペースを設けなければならず、その分だけ画像読取装置のマシンサイズが大きくなる問題がある。
【００４８】
図６（ａ）は図５と同様にフレキシブルフラットケーブル２１４を折り曲げる前の状態の第一ミラーユニット２０３の斜視図である。これに対し、図６（ｂ）はフレキシブルフラットケーブル２１４を折り曲げた後の状態の第一ミラーユニット２０３の斜視図である。
【００４９】
本実施の形態に係る画像読取装置４における第一ミラーユニット２０３では、第一ミラーユニット２０３の側面を回り込むフレキシブルフラットケーブル２１４ａの側面の配線部２１４ｄを垂直方向（鉛直方向上方）に９０度折り曲げ、コネクタ３０４ａに接続するようになっている。フレキシブルフラットケーブル２１４は厚みをほとんど持たないため、この様にケーブルをはい回す構成とすることで第一ミラーユニット２０３とスキャナベース側面２１６との間に配線のためのスペースを設ける必要は無くなる。このためフレキシブルフラットケーブル２１４の配線レイアウトによるマシンサイズへの影響はなくなる。なお、フレキシブルフラットケーブル２１４の厚みは例えば１ｍｍ以下である。
【００５０】
図７は図６に示した本実施の形態におけるケーブルのはい回し構成を適用した際の画像読取装置４を上面から見た図である。図７に示すように、フレキシブルフラットケーブル２１４ａを折り曲げた後では折り曲げる前と比較して、第一ミラーユニット２０３とスキャナベース側面２１６との間にフレキシブルフラットケーブル２１４ａをはい回すためのスペースを広くとる必要がない。
【００５１】
本実施の形態では、鉛直方向上方に９０度折り曲げるケーブルは第一ミラーユニット２０３の側面を回り込むように配線される側であるフレキシブルフラットケーブル２１４ａのみとなっている。すなわち、副走査方向から見て分岐部２１４ｃに対して読取光軸の反対側にある照明装置３００ａに接続されるフレキシブルフラットケーブル２１４ａが折り曲げられる。分岐部２１４ｃで分岐するフレキシブルフラットケーブル２１４ｂについては、接続される先のコネクタ３０４ｂが読取光軸の左側にあり（図５、７参照）、第一ミラーユニット２０３の側面を回り込ませる必要がないためである。
【００５２】
以上のように本実施の形態に係る画像読取装置４は、フレキシブルフラットケーブル２１４が、照明装置３００ａ、３００ｂに電源を供給するための電源供給基板２１７から画像読取装置４の主走査方向中央部分を通り、第二ミラーユニット２０６を経由して第一ミラーユニット２０３までは分岐することなく１本の配線で構成されている。
【００５３】
また、第一ミラーユニット２０３上に位置する分岐部２１４ｃでフレキシブルフラットケーブル２１４ａとフレキシブルフラットケーブル２１４ｂとに分岐して照明装置３００ａ、３００ｂに接続され、分岐後にフレキシブルフラットケーブル２１４ａは分岐部２１４ｃから照明装置３００ａまでの間に配線の方向が鉛直方向上方に９０度折り曲げられている。
【００５４】
この構成により、第一ミラーユニット２０３とスキャナベース側面２１６との間にフレキシブルフラットケーブル２１４ａをはい回すスペースを広くとる必要がないため、装置を小型化することができる。
【００５５】
また、フレキシブルフラットケーブル２１４の配線のうち鉛直方向上方に９０度折り曲げる配線は副走査方向から見て前記分岐部２１４ｃに対して読取光軸の反対側にある照明装置３００ａに接続されるフレキシブルフラットケーブル２１４ａとしてもよい。
【００５６】
この構成により、マシンサイズに影響を与える側のフレキシブルフラットケーブル２１４ａにのみ鉛直方向上方への折り曲げを適用することで余計な折り曲げ部を形成せずに済み、はい回しが複雑になることを防ぐことができる。
【００５７】
以上、本発明の実施の形態について説明したが、本発明は上述の実施の形態に限定されるものではなく、本発明の要旨を逸脱しない範囲で種々の変更を加え得ることは勿論である。
【００５８】
本発明によれば、照明装置が読取光軸を挟んで副走査方向に対面配置された構成の画像読取装置において、フレキシブルフラットケーブルのはい回しの構成により装置を小型化することができ、画像読取装置および画像形成装置全般に有用である。
【符号の説明】
【００５９】
１  画像形成装置
４  画像読取装置
２０３  第一ミラーユニット
２０６  第二ミラーユニット
２１４  フレキシブルフラットケーブル
２１４ｃ  分岐部
２１７  電源供給基板
３００ａ、３００ｂ  照明装置
３０１  ＬＥＤチップ（光源）
３０２ａ、３０２ｂ  ＬＥＣ基板（基板）
３０３ａ、３０３ｂ  ブラケット
３０４ａ、３０４ｂ  コネクタ
３０６ａ、３０６ｂ  導光体
【先行技術文献】
【特許文献】
【００６０】
【特許文献１】特許第４５２７３２０号公報
【特許文献２】特許第４３３１２１８号公報
【図１】
0006481503.tif 000002
【図２】
0006481503.tif 000003
【図３】
0006481503.tif 000004
【図４】
0006481503.tif 000005
【図５】
0006481503.tif 000006
【図６】
0006481503.tif 000007
【図７】
0006481503.tif 000008
【図８】
0006481503.tif 000009
【図９】
0006481503.tif 000010
【図１０】
0006481503.tif 000011